(57)【特許請求の範囲】
【請求項１】
現像済みの写真フイルムが収納されたフイルムカートリッジを使用し、該フイルムカートリッジからフイルムを画像読取部に給送してフイルム画像を読み取り、該フイルム画像をモニタＴＶに表示させるフイルム画像自動再生方法において、
前記フイルムカートリッジ内のフイルムの複数フレームを示すインデックス画像のフイルム画像を前記モニタＴＶに表示し、
前記モニタＴＶに表示されたインデックス画面を見ながら前記フイルム内の複数のフイルム画像を順次自動的に再生するための自動再生情報であって、撮影日時情報と、自動再生時にフイルム画像を正立させるための各フレームの縦横に関する縦横情報と、１フレーム全体からモニタ上に再生する範囲を指定する再生フレーム枠情報とを含む自動再生情報を、該インデックス画面上のフレームを指定しながら入力するとともに、その入力した自動再生情報をフイルムカートリッジに対応する記録媒体に記録し、
自動再生時に前記記憶媒体から前記自動再生情報を読み出し、その読み出した自動再生情報にしたがって前記複数のフイルム画像を順次自動的に再生するようにしたことを特徴とするフイルム画像自動再生方法。
【請求項２】
前記記憶媒体は、前記写真フイルムに形成された磁気記録層、前記フイルムカートリッジに配設された半導体メモリ又は前記フイルムカートリッジに対応するメモリカード、磁気ディスク等の付帯の記録メディアのうちのいずれかである請求項１のフイルム画像自動再生方法。
【請求項３】
前記自動再生情報は、前記モニタＴＶの画面を見ながら記録した情報及び／又は撮影時にカメラで記録した情報である請求項１のフイルム画像自動再生方法。
【請求項４】
前記自動再生情報は音声情報を含み、自動再生時にフイルム画像とともに音声を再生する請求項１のフイルム画像自動再生方法。
【請求項５】
現像済みの写真フイルムが収納されたフイルムカートリッジを使用し、該フイルムカートリッジからフイルムを画像読取部に給送してフイルム画像を読み取り、該フイルム画像をモニタＴＶに表示させるフイルム画像自動再生方法において、
前記フイルムカートリッジ内のフイルムの複数フレームを示すインデックス画像のフイルム画像を前記モニタＴＶに表示し、
前記モニタＴＶに表示されたインデックス画面を見ながら前記フイルム内の複数のフイルム画像を順次自動的に再生するための自動再生情報を、該インデックス画面上のフレームを指定しながら入力するとともに、その入力した自動再生情報とダビング指示情報とをフイルムカートリッジに対応する記録媒体に記録し、
自動再生時に前記記憶媒体から前記自動再生情報及びダビング指示情報を読み出し、その読み出した情報にしたがって前記フイルムカートリッジ内のフイルム１本分のフイルム画像を自動的に再生するとともに、自動再生された画像を自動的に録画させるようにしたことを特徴とするフイルム画像自動再生方法。
【請求項６】
前記自動再生情報は音声情報を含み、自動再生時にフイルム画像とともに音声を再生し、前記自動再生された画像を自動的に録画させるとともに音声を録音させることを特徴とする請求項５のフイルム画像自動再生方法。
【発明の詳細な説明】
【０００１】
【産業上の利用分野】
本発明はフイルム画像自動再生方法に係り、特に１本のフイルム内の複数のフイルム画像を順次自動的にモニタＴＶに再生するフイルム画像自動再生方法に関する。
【０００２】
【従来の技術】
従来、現像済みフイルムを収納するとともに情報記録可能な領域が設けられたフイルムカートリッジが提案されている（特開平１−２７９２５０号公報）。また、特開平１−２８９９４８号公報には、不揮発性半導体及びそれへの再生／記録回路を有するフイルムカートリッジ等にフイルム画像以外の情報を記録する方法が提案されている。
【０００３】
上記特開平１−２７９２５０号公報に記載のフイルムカートリッジに対応する記録媒体にはプリント情報が記録され、また、特開平１−２７９２５０号公報に記載のフイルムカートリッジに対応する記録媒体には、フイルムからカメラに伝達する情報、カメラから現像所に伝達する情報、撮影者及び取次店から現像所に伝達する情報、現像所及び取次店から撮影者に伝達する情報が記録されている。
【０００４】
【発明が解決しようとする課題】
ところで、上記従来のフイルムカートリッジに対応する記録媒体には、１本のフイルム内の複数のフイルム画像を順次自動的にモニタＴＶに再生するための自動再生情報が記録されていず、もちろん記録媒体から自動再生情報を読み出し、その読み出した自動再生情報にしたがって複数のフイルム画像を順次自動的に再生するフイルム画像再生装置に関する記載もない。
【０００５】
本発明はこのような事情に鑑みてなされたもので、１本のフイルム内の複数のフイルム画像を順次自動的にモニタＴＶに再生することができるフイルム画像自動再生方法を提供することを目的とする。
【０００６】
【課題を解決するための手段】
本発明は前記目的を達成するために、現像済みの写真フイルムが収納されたフイルムカートリッジを使用し、該フイルムカートリッジからフイルムを画像読取部に給送してフイルム画像を読み取り、該フイルム画像をモニタＴＶに表示させるフイルム画像自動再生方法において、前記フイルムカートリッジ内のフイルムの複数フレームを示すインデックス画像のフイルム画像を前記モニタＴＶに表示し、前記モニタＴＶに表示されたインデックス画面を見ながら前記フイルム内の複数のフイルム画像を順次自動的に再生するための自動再生情報であって、撮影日時情報と、自動再生時にフイルム画像を正立させるための各フレームの縦横に関する縦横情報と、１フレーム全体からモニタ上に再生する範囲を指定する再生フレーム枠情報とを含む自動再生情報を、該インデックス画面上のフレームを指定しながら入力するとともに、その入力した自動再生情報をフイルムカートリッジに対応する記録媒体に記録し、自動再生時に前記記憶媒体から前記自動再生情報を読み出し、その読み出した自動再生情報にしたがって前記複数のフイルム画像を順次自動的に再生するようにしたことを特徴としている。
【０００７】
【作用】
本発明によれば、フイルムカートリッジ内のフイルムの複数フレームを示すインデックス画像のフイルム画像をモニタＴＶに表示し、そのインデックス画面を見ながらフイルム内の複数のフイルム画像を順次自動的に再生するための自動再生情報を、該インデックス画面上のフレームを指定しながら入力するとともに、その入力した自動再生情報をフイルムカートリッジに対応する記録媒体に記録する。そして、自動再生時には、前記記憶媒体から自動再生情報を読み出し、その読み出した自動再生情報にしたがって１本のフイルム内の複数のフイルム画像を順次自動的に再生するようにしている。従って、一旦記録媒体に自動再生情報を記録すると、その後は何回でも何時でも自動再生を実行することができる。尚、上記自動再生情報の記録と自動再生とは、別の機器で実行することもできる。
【０００８】
【実施例】
以下添付図面に従って本発明に係るフイルム画像自動再生方法の好ましい実施例を詳説する。
図１は本発明に係るフイルム画像自動再生方法が適用されるフイルムプレーヤの外観図である。同図に示すように、このフイルムプレーヤ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【０００９】
フイルムプレーヤ１００にはマウス１２０、モニタＴＶ１０６及びビデオテープレコーダ（ＶＴＲ）１０８が接続されており、マウス１２０からはフイルムプレーヤ１００を制御するための各種の操作信号がフイルムプレーヤ１００に出力され、フイルムプレーヤ１００からは映像信号がモニタＴＶ１０６に出力されるとともに制御信号がＶＴＲ１０８に出力され、更にモニタＴＶ１０６からは映像信号がＶＴＲ１０８に出力される。尚、マウス１２０によるフイルムプレーヤ１００の制御の詳細については後述する。
【００１０】
フイルムカートリッジ１１０は、図２に示すように単一のスプール１１２を有し、このスプール１１２に写真フイルム１１４が巻回されている。写真フイルム１１４には、各フレームの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってフレーム毎の撮影データ等を示す磁気データが記録できるようになっている。また、現像処理された上記写真フイルム１１４はフイルムカートリッジ１１０に巻き取られ、これにより保管できるようになっている。
【００１１】
このフイルムカートリッジ１１０を使用するカメラは、カメラ内蔵の磁気ヘッドによって前記フイルム１１４の磁気記録層１１４Ｂに各種の磁気データをフレーム毎に記録することができる。記録される磁気データとしては、例えば、フレーム番号、ハイビジョン画像、パノラマ画像及び通常画像のいずれかを示すプリントフォーマット、撮影日／時刻等が考えられるが、その他、カメラによって多数種類のデータを記録することができる。また、前記写真フイルム１１４には、被写体光によって露光されるフレーム領域以外にフイルムタイプ、フレーム番号等を示すバーコードや、撮影時にカメラ内蔵の光源によってプリントフォーマット等を示すデータを光学的に記録することができる。
【００１２】
図３は上記フイルムプレーヤ１００の内部構成の一実施例を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００１３】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００１４】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００１５】
尚、ＣＣＤラインセンサ１４２は、フイルム給送方向と直交する方向に例えば１０２４画素分のセンサを有している。また、１フレームのフイルム給送方向と同方向の画素数は、ＣＣＤ駆動回路１４４のリードゲートパルス等の周期を変更しない場合にはフイルム給送速度に応じて変化し、本実施例では標準のフイルム画像を取り込む時の給送速度の１／２倍、１倍、８倍、１６倍の各速度における画素数は、１７９２画素、８９６画素、１１２画素、５６画素である。
【００１６】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００１７】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００１８】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１への書込み／読出しを制御するとともに、ＣＣＤバッファＭ１に記憶された輝度信号Ｙ及びクロマ信号Ｃｒ／ｂ  の表示バッファＭ２への書込み／読出しを制御する。尚、ＣＣＤバッファＭ１及び表示バッファＭ２への書込み／読出し制御の詳細については後述する。
【００１９】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２０】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００２１】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２２】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
【００２３】
次に、上記構成のフイルムプレーヤ１００の作用について、図４に示すフローチャートを参照しながら説明する。
先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１１４を送り出し、フイルム先端をフイルム巻取部の巻取軸に巻き付ける。
【００２４】
フイルムローディングが完了すると、フイルム１１４の第１のプリスキャンを実行する。即ち、図５に示すようにフイルム１１４を１４８．０ｍｍ／秒の高速で順方向に給送し、続いて１４８．０ｍｍ／秒の高速で逆方向に巻き戻す。上記順方向の第１のプリスキャン時には、ＣＣＤラインセンサ１４２を介して画像データが取り込まれるとともに、光学データ読取装置１８０及び磁気記録再生装置１８２を介して光学データ及び磁気データが読み取られる。
【００２５】
次に、上記第１のプリスキャン時に取り込んだ画像データに基づく処理について説明する。
ＣＰＵ１６０は、図３に示すＡ／Ｄコンバータ１５０から点順次のＲ，Ｇ，Ｂ信号を入力する。ＣＰＵ１６０は、全フレームのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをフレーム毎にＣＰＵ内蔵のランダム・アクセス・メモリ（ＲＡＭ）１６０Ａに記憶する。また、各フレームのＲ，Ｇ，Ｂ信号から各フレームの明るさを示すＡＥデータをＲＡＭ１６０Ａに記憶する。尚、ＣＰＵ１６０は、光学データ読取装置１８０及び磁気記録再生装置１８２を介して加えられる光学データ及び／又は磁気データに基づいてフイルム１１４の各フレームを検知することができ、また、各フレームをカウントすることによりフレーム番号も検知することができる。
【００２６】
次に、フイルム１１４の第２のプリスキャンを実行する。即ち、図５に示すようにフイルム１１４を７４・０ｍｍ／秒の高速で順方向に再び給送し、続いて１４８．０ｍｍ／秒の高速で逆方向に巻き戻す。上記順方向の第２のプリスキャン時には、再びＣＣＤラインセンサ１４２を介して画像データが取り込まれる。この画像データの取込み時には、ＣＰＵ１６０は、ＲＡＭ１６０Ａに記憶したＡＥデータに基づいて絞り制御装置１６４を介して各フレーム毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００２７】
また、ＣＰＵ１６０は、第１信号処理回路１５１において、各フレーム毎にＲ，Ｇ，Ｂ信号のオフセット量及び白バランスの調整を行わせる。即ち、ＣＰＵ１６０は、ＲＡＭ１６０Ａに記憶した各フレームの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各フレームの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００２８】
上記ＡＥデータ、ＡＷＢデータ等に基づいて各フレームの画像データを調整しているため、各フレームの撮影条件にかかわらず、良好な画像データを取り込むことができる。
このようにして調整された各フレームの画像データ、即ち、第２信号処理回路１５２から出力される輝度信号Ｙ及びクロマ信号Ｃｒ／ｂ  は、メモリ制御回路１５４を介してＣＣＤバッファＭ１に順次記憶される。尚、前述したように標準のフイルム画像を取り込む時の給送速度の８倍の速度でフイルム１１４が給送されるため、図６（Ａ）に示すように１フレームのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１フレームのフイルム給送方向と直交する方向の画素数は、６４画素である。そして、ＣＣＤバッファＭ１は、図６（Ａ）に示すように５１２×１０２４画素のデータを記憶する記憶容量を有しており、これにより５×４×２（＝４０）フレーム分の画像データを記憶することができる。即ち、ＣＣＤバッファＭ１には、４０フレーム分のインデックス画像を示す画像データ（以下、インデックス画像データという）が記憶されることになる。
【００２９】
表示バッファＭ２は、図６（Ｂ）に示すように５１２×１０２４画素のデータを記憶する記憶容量を有しているが、上記インデックス画像データを記憶する場合には、１フレームの画素が７３×１２８画素にされて４×５（＝２０）フレーム分の画像データを記憶する。そして、インデックス画像をモニタＴＶ１０６に表示させる場合には、表示バッファＭ２の左上の４８０×６４０画素分の領域が読み出される（図６（Ｂ）、（Ｃ）参照）。
【００３０】
尚、表示バッファＭ２には１度に２０フレーム分の画像データしか記憶できないため、インデックス画像をスクロール又は画面切り替えを行うことによって４０フレーム分のインデックス画像を表示する。
ところで、ＣＰＵ１６０は、上記スキャン時における各フレームの画像データの読取り順に各フレームに対してフレーム番号を１、２、…とし、各フレームのフレーム番号を示すキャラクター信号を出力することにより、フレーム番号がスーパーインポーズされたインデックス画像を表示させるようにしている（ステップ２０２）。
【００３１】
上記のようにしてインデックス画像の作成が行われ、インデックス画像がモニタＴＶ１０６に表示されると、続いてインデックス画像を見ながらマウス１２０を使用し、モニタＴＶ１０６に所望のフイルム画像を再生させるために必要な各種の情報（以下、自動再生情報という）の入力を行う（ステップ２０４）。
ところで、上記自動再生情報には、例えば、以下の情報がある。
＜自動再生効果を高める情報＞
・フレームの縦横情報：再生画面をモニタ上で正立させるための情報で上下左右の指定情報
・文字情報          ：各フレームに対する文字情報、及びフイルム全体に関する文字情報
・撮影日時          ：各フレーム毎の撮影日時情報
・再生フレーム枠情報：１フレーム全体からモニタ上に再生する範囲を指定する情報
・色補正情報        ：マニュアル設定される情報で、各フレーム毎の輝度、色合い、色の濃さ、コントラスト、シャープネス設定情報・特殊モニタ効果情報：各フレーム画面内容に応じた自動色補正情報（夕焼け効果、夜景効果等）
・クローズアップ情報：倍率情報と拡大中心位置情報
・自動ズーミング情報：ズーム開始倍率、ズーム終了倍率及びズーミング時間を含む情報
・画面切替え情報    ：フレーム間の画面切替え方法を指定する情報で、即切替え、スクロールイン／アウト、フェードイン／アウト、オーバーラップ、ワイプイン／アウトを示す情報と、これらの切替え時間情報（秒単位）
・画面内の移動情報  ：１フレームの画面内をスキャンする移動情報（パン、チルト情報）と、これらの移動時間情報（秒単位）
・画面表示時間情報  ：各フレームの全表示時間（秒単位）
・再生時の音声情報  ：自動再生時の音楽種類の指定（各フレーム毎、あるいはフイルム全体に指定）
・文字表示指定情報  ：自動再生時にタイトルのみ表示するか、日時のみを表示するか、両方表示するか、あるいあ両方表示しない等の指定情報、及び表示色、表示位置の情報
＜その他＞
・自動色補正情報    ：プリスキャン時に自動的に設定される色補正情報で、前述したＡＥ、ＡＷＢデータ
＜自動再生の制御に関する情報＞
・再生開始フレーム番号情報    ：自動表示時の開始フレーム番号情報
・再生終了フレーム番号情報    ：自動表示時の終了フレーム番号情報
・次に移動するフレーム番号情報：自動表示時の次に表示するフレーム番号情報・未再生フレーム指定情報      ：自動表示時に再生しないフレーム番号、又は各フレーム毎にするかしないかの指定情報
・ダビング指示情報            ：ＶＴＲへのダビング指示情報
上記各情報の入力は、マウス１２０の〔実行〕キー１２０Ａ及び〔取消〕キー１２０Ｂ（図３参照）と、ロールによる矢印位置指定とによって行われる。
【００３２】
即ち、ＣＰＵ１６０は、図７に示すように２０フレーム分のインデックス画像とともに各種の設定メニューを示す文字又はアイコンをモニタ画面の下側に表示させる。このインデックス画面における編集対象のフレームの選定は、マウス１２０を用いて矢印を編集対象のフレームに移動させて〔実行〕キー１２０Ａをクリックすることによって行う。選定されたフレームは、図７の７番目のフレームに示すように他のフレームに比べて濃い黒枠が表示される。
【００３３】
その後、任意の設定メニューを示す示す文字又はアイコンの位置に矢印を移動させ、〔実行〕キー１２０Ａを操作することによって、設定メニューを選択する。通常、いずれかのフレームが選定されるが、各フレームに無関係な情報、あるいは共通の情報（自動再生開始フレーム、フレームタイトル他）を設定する場合は、その時選定されているフレームは無視して取り扱われる。
【００３４】
例えば、各フレームの再生順序に関する情報を入力する場合には、マウス１２０によって再生順序設定メニューを選択する。その後、マウス１２０によって再生順序に応じたフレームに矢印を移動させて〔実行〕キー１２０Ａをクリックする。これを繰り返すことにり複数フレームの再生順序を入力することができる。尚、再生順を指定する毎にインデックス画像の各フレームに再生順序を示す番号を表示するようにすれば、重複して指定するおそれがなくなる。また、最初に指定したフレーム及び最後に指定したフレームのフレーム番号情報は、それぞれ前述した再生開始フレーム番号情報及び再生終了フレーム番号情報に対応し、また指定しなかったフレームのフレーム番号情報は、未再生フレーム指定情報に対応する。
【００３５】
同様にして、前述した各種の情報をオンスクリーン対話方式でマウス１２０を使いながら入力することができる。上記情報の入力が終了すると、１フレームをモニタ表示するか否かの選択が行われる（ステップ２０６）。そして、１フレームを表示することが選択されると、そのフレーム画像を見ながら上記と同様な情報を入力することができる。
【００３６】
即ち、先ずフレーム番号を設定し（ステップ２０８）、続いて図５に示すようにフイルム１１４を９．２５ｍｍ／秒で順方向に１フレーム分給送して、設定したフレーム番号のフレームをスキャン（本スキャン）する（ステップ２１０）。この本スキャン時にＣＣＤラインセンサ１４２を介して画像データがＣＣＤバッファＭ１に取り込まれる。
【００３７】
この画像データの取込み時には、ＣＰＵ１６０は、ＲＡＭ１６０Ａに記憶したＡＥデータ、ＡＷＢデータ等に基づいて各フレームの画像データを調整しているため、各フレームの撮影条件にかかわらず、良好な画像データを取り込むことができる。また、このようにしてＣＣＤバッファＭ１に取り込まれる１フレーム分の画素数は、図６（Ｄ）に示すように５１２×８９６画素である。即ち、１０２４画素分のセンサを有するＣＣＤラインセンサ１４２のＣＣＤ出力を、本スキャン時には１／２に間引き、これにより１フレームのフイルム給送方向と直交する方向の画素数を５１２とし、また、フイルム給送速度をインデックス画像の画像データの取込み時に比べて１／８にすることにより、インデックス画像の１フレームのフイルム給送方向と同方向の画素数（１１２画素）の８倍の８９６画素としている。
【００３８】
上記のようにしてＣＣＤバッファＭ１に取り込まれた１フレーム分の画像データは、表示バッファＭ２に転送され、この表示バッファＭ２の記憶内容が繰り返し読み出されことによりモニタＴＶ１０６に１フレームの画像が表示される。尚、このモニタ画面には、図８（Ａ）に示すようにフレーム番号（同図上では７）がモニタ画面左上に表示され、また各種の設定メニューを示す文字又はアイコンをモニタ画面の下側に表示される。
【００３９】
上記メニューの選択は、前述したインデックス画像を用いた情報入力時と同様にマウス１２０を使用して行われる。
いま、「画面切替え」を示す文字又はアイコンに矢印を合わせて〔実行〕キー１２０Ａをクリックすると、画面切替え設定メニューとなり、画面切替え設定メニューの各項目のパラメータが、画面左下に表示される（図８（Ｂ））。尚、以前の設定パラメータは点滅するようになっている。
【００４０】
ここで、マウス１２０を動かし、任意のパラメータに矢印を移動させ、〔実行〕キー１２０Ａをクリックすると、これによって選択されたパラメータに点滅位置が移る。そして、再び〔実行〕キー１２０Ａをクリックすると（２回目のクリックで）、パラメータが設定されるとともにその項目の設定画面が消える。ここで、キャンセルする場合は、〔取消〕キー１２０Ｂをクリックする。この場合、機器の初期値、あるいは以前に設定されたパラメータに戻り、設定画面が消える。
【００４１】
次に、図示しないキーボードを使用して文字情報を入力する場合について説明する。
この場合には、先ずマウス１２０でモニタ画面上の矢印を動かし、設定画面の「タイトル」の文字又はアイコンを選択し、〔実行〕キー１２０Ａでクリックする。これにより、タイトル設定メニューとなり、図８（Ｃ）に示すようにモニタ画面の下側に横長の白欄（左すみが点滅）と、その右上側に「確定」と「取止め」の文字が表示される。
【００４２】
続いて、フイルムプレーヤ１００に接続されたキーボード（図示せず）を操作すると、左隅から右側に順にタイトルが入力される。点滅位置も順に右に移動する。文字入力の途中で訂正がある場合には、〔取消〕キー１２０Ｂをクリックする。これにより、右側の点滅された部分のタイトルが１文字ずつ消えてキャンセルされる。全ての入力が終了すると、マウス１２０で矢印を「確定」表示部分に移動し、〔実行〕キー１２０Ａをクリックする。これによりタイトル設定が終了するとともに、白欄、「確定」、「取止め」の文字が消える。タイトル入力を止める場合は、マウス１２０で矢印を「取止め」表示部分に移動し、〔実行〕キー１２０Ａをクリックする。これにより、いままで設定したタイトル情報が消え、設定する前のタイトルがその情報として残る。
【００４３】
上記のようにして各種の情報をオンスクリーン対話方式でマウス１２０を使いながら入力することができる。上記情報の入力が終了すると（ステップ２１４）又はステップ２０６でフレーム表示を選択しない場合には、図５に示すようにフイルム１１４を１４８．０ｍｍ／秒の高速で順方向に給送し、この給送中に予めフイルム１１４の磁気記録層１１４Ｂから読み取られてＣＰＵ１６０のＲＡＭ１６０Ａに記憶された磁気データ、ステップ２０４や２１２で入力した情報等がフイルム１１４の磁気記録層１１４Ｂに記録される（ステップ２１６）。続いて１４８．０ｍｍ／秒の高速で逆方向に巻き戻され、フイルムカートリッジ１１０が取り出される（ステップ２１８）。
【００４４】
次に、複数のフイルム画像を順次自動的に再生する自動再生について、図９のフローチャートを参照しながら説明する。
同図において、上記のようにして自動再生情報が磁気記憶層に記憶されたフイルムカートリッジ１１０がフイルムプレーヤ１００に挿入されると、プリスキャンを実行し、フイルム１１４の磁気記録層１１４Ｂから自動再生情報を読み出し、ＲＡＭ１６０Ａに格納する（ステップ２２０）。ここで、図示しない自動再生キー等をＯＮにすると、各フレーム画面の自動再生が開始される（ステップ２２１）。
【００４５】
即ち、先ず自動再生情報のうちの開始フレーム番号情報から開始フレームを検出する（ステップ２２２）。そして、そのフレームに対応した自動再生情報に基づいてフレーム画面の再生を行う（ステップ２２３）。その後、予め設定した画面表示時間が終了すると、次に移動するフレーム番号情報から次の再生フレームの有無を判別し（ステップ２２４）、フレーム指定がある場合には、そのフレームに対して未再生フレーム指定情報が記録されているか否かによって再生禁止フレームか否かを判別する（ステップ２２６）。再生禁止フレームの場合には、ステップ２２４に戻り、次に移動するフレーム番号情報から次の再生フレームの有無を判別する。
【００４６】
一方、再生禁止フレームでない場合には、ステップ２２３に進み、そのフレームに対応した自動再生情報に基づいてフレーム画面の再生を行う。このようにして、ステップ２２３からステップ２２６の処理を繰り返し、予め再生を指定した複数のフレームの自動再生を行う。そして、ステップ２２４において、再生終了フレーム番号情報によって自動再生の終了が判断されると、自動再生を終了させる（ステップ２２８）。
【００４７】
上記実施例では、自動再生情報をフイルム１１４の磁気記録層１１４Ｂに記録するようにしたが、これに限らず、フイルムカートリッジ１１０に付帯のＩＣメモリ、フイルムカートリッジ１１０とは別体のメモリカードやフロッピーディスク、ハードディスク等に自動再生情報を記録し、これらの外部記録媒体から自動再生時に自動再生情報を読み出すようにしてもよい。
【００４８】
次に、フイルムカートリッジ１１０に付帯のＩＣメモリを使用し、かつ自動再生画面等をＶＴＲ１０８に記録する場合について説明する。
この場合、図１０に示すようにフイルムカートリッジ１１０が挿入されると（ステップ２３０）、フイルムカートリッジ１１０に付帯のＩＣメモリから自動再生情報を読み出し、フイルムプレーヤ１００のＲＡＭ１６０Ａに格納する（ステップ２３１）。ここで、自動再生キー等をＯＮにすると、開始フレーム番号情報から開始フレームを検出する（ステップ２３２）。続いて、自動再生情報中にＶＴＲ１０８へのダビング指示情報が有るか否かを判別する（ステップ２３４）。
【００４９】
ＶＴＲ１０８へのダビング指示情報が有る場合には、フイルムプレーヤ１００からダビング開始を指令する制御信号をＶＴＲ１０８に出力する（ステップ２３６）。尚、フイルムプレーヤ１００からは例えば汎用性の高いＲＳ−２３２Ｃのコネクタを介して上記制御信号がＶＴＲ１０８に出力される。また、フレーム画像を示す映像信号や音声信号は、モニタＴＶ１０６からＶＴＲ１０８に出力される（図１参照）。
【００５０】
そして、ダビング開始を指令する制御信号がＶＴＲ１０８に出力されると、又はＶＴＲ１０８へのダビング指示情報が無い場合には、音楽情報、コメント情報にしたがって１フレームから順に最終フレームまで音楽を流しながら、あるいは各フレーム毎にコメントを出力しながら、そのフレームに対応した自動再生情報に基づいてフレーム画面の再生を行う（ステップ２３８、２４０）。尚、音楽情報、コメント情報等の音声情報は、自動再生情報の入力時のものに限らず、予めカメラによって記録したカメラ撮影時の音声、あるいは風景音を示す情報でもよい。
【００５１】
一方、ステップ２４０において、再生終了フレーム番号情報によって自動再生の終了が判断されると、ＶＴＲ１０８でのダビング中か否かを判別し（ステップ２４２）、ダビング中の場合にはＶＴＲ１０８にダビング停止指令を出力したのち、ダビング中でない場合には直ちに自動再生を終了させる（ステップ２４４、２４５）。
【００５２】
次に、フイルムカートリッジ本体又はフイルムに光学的にカートリッジＩＤ番号が記録されたフイルムカートリッジ１１０を使用し、且つ自動再生情報及びカートリッジＩＤ番号が記録されたハードディスクを使用する場合について説明する。
この場合、図１１に示すようにフイルムカートリッジ１１０をフイルムプレーヤ１００に挿入するとともに、ハードディスクを図示しないディスクドライバに挿入する（ステップ２５０）。フイルムプレーヤ１００は、フイルムローディングの過程でフイルムカートリッジ１１０から光学的にカートリッジＩＤ番号を検出し（ステップ２５２）、その検出したカートリッジＩＤ番号がハードディスクに登録されているかの検索を指示する。そして、フイルムプレーヤ１００に挿入されたフイルムカートリッジ１１０のカートリッジＩＤ番号がハードディスクに登録されていない場合には、自動再生を終了し（ステップ２６４）、例えばハードディスクを交換する。
【００５３】
一方、カートリッジＩＤ番号がハードディスクに登録されている場合には、そのハードディスクから自動再生情報を読み出してＲＡＭ１６０Ａに格納したのち、自動再生情報のうちの開始フレーム番号情報から開始フレームを検出する（ステップ２５８）。そして、そのフレームに対応した自動再生情報に基づいてフレーム画面の再生を行う（ステップ２６０）。
【００５４】
その後、予め設定した画面表示時間が終了すると、最終フレームの自動再生が終了したか否かを判別し（ステップ２６２）、最終フレームでない場合にはステップ２６０に戻り、次の再生フレームを自動再生し、最終フレームの場合には自動再生を終了させる（ステップ２６４）。
【００５５】
【発明の効果】
以上説明したように本発明に係るフイルム画像自動再生方法によれば、フイルムカートリッジ内のフイルムの複数フレームを示すインデックス画像のフイルム画像をモニタＴＶに表示し、そのインデックス画面を見ながらフイルム内の複数のフイルム画像を順次自動的に再生するための自動再生情報を、該インデックス画面上のフレームを指定しながら入力するとともに、その入力した自動再生情報をフイルムカートリッジに対応する記録媒体に記録するようにしたため、自動再生時には、前記記憶媒体から自動再生情報を読み出し、その読み出した自動再生情報にしたがって１本のフイルム内の複数のフイルム画像を順次自動的に再生することができる。従って、一旦記録媒体に自動再生情報を記録すると、その後は何回でも何時でも容易に自動再生を実行することができる。
【図面の簡単な説明】
【図１】図１は本発明に係るフイルム画像自動再生方法が適用されるフイルムプレーヤの外観図である。
【図２】図２は図１に示したフイルムプレーヤに適用されるフイルムカートリッジの一例を示す図である。
【図３】図３は図１に示したフイルムプレーヤの内部構成の一実施例を示すブロック図である。
【図４】図４は図１に示したフイルムプレーヤの作用を説明するために用いたフローチャートである。
【図５】図５は図１に示したフイルムプレーヤにおいて搬送されるフイルムの搬送シーケンスの一例を示す図である。
【図６】図６（Ａ）乃至（Ｄ）は図１に示したフイルムプレーヤにおけるＣＣＤバッファ、表示バッファにおける記憶領域及びモニタＴＶの表示画面を示す図である。
【図７】図７はインデックス画像を使用して自動再生情報を入力する場合のモニタ画面の一例を示す図である。
【図８】図８（Ａ）乃至（Ｃ）はそれぞれ１フレーム画像を使用して自動再生情報を入力する場合のモニタ画面の一例を示す図である。
【図９】図９は本発明に係るフイルム画像自動再生方法による自動再生の一実施例を示すフローチャートである。
【図１０】図１０は本発明に係るフイルム画像自動再生方法による自動再生の他の実施例を示すフローチャートである。
【図１１】図１１は本発明に係るフイルム画像自動再生方法による自動再生の更に他の実施例を示すフローチャートである。
【符号の説明】
１００…フイルムプレーヤ
１０６…モニタＴＶ
１０８…ビデオテープレコーダ
１１０…フイルムカートリッジ
１１４…写真フイルム
１１４Ｂ…磁気記録層
１２０…マウス
１３０…光源
１３５…撮影レンズ
１４２…ＣＣＤラインセンサ
１５１…第１信号処理回路
１５２…第２信号処理回路
１５３…第３信号処理回路
１５４…メモリ制御回路
１６０…中央処理装置（ＣＰＵ）
１７０…フイルム駆動メカ
１８０…光学データ読取装置
１８２…磁気記録再生装置
Ｍ１…ＣＣＤバッファ
Ｍ２…表示バッファ
【図１】
0003564691.tif 000002
【図２】
0003564691.tif 000003
【図３】
0003564691.tif 000004
【図４】
0003564691.tif 000005
【図５】
0003564691.tif 000006
【図６】
0003564691.tif 000007
【図７】
0003564691.tif 000008
【図８】
0003564691.tif 000009
【図９】
0003564691.tif 000010
【図１０】
0003564691.tif 000011
【図１１】
0003564691.tif 000012